(57)【要約】      （修正有）【課題】理容室や美容室において洗髪される人の顔が水に濡れることがない洗髪用具の提供を目的とする。【解決手段】洗髪用具１は、一方の開口部を使用者の顔面の周囲に密着して当接する形状からなる合成樹脂製の筒体２と、この筒体２を回動自在に支持する支持台３とから構成され、洗面台に載置して用いる。この筒体２の一方の開口部を当接した使用者の顔面を、下方に向けた状態で洗髪したときのシャンプーなどの水は、前記筒体２の外側を伝わって落ちるので、使用者の顔面を濡らすことがない。【選択図】図２
0003130377.tif 000002
【実用新案登録請求の範囲】
【請求項１】
筒体開口部の一方を使用者の顔面の周囲に密着して当接する形状からなり、該筒体開口部の一方を当接した使用者の顔面を下方に向けた状態で洗髪したときの水が使用者の顔面を濡らすことなく前記筒体の外側を伝わらせることを特徴とする洗髪用具。
【請求項２】
筒体が弾性を有する合成樹脂材から形成することを特徴とする請求項１記載の洗髪用具。
【請求項３】
筒体の一方の開口部と他方の開口部の開口径を、使用者の顔面の大きさの大小に合致させるべく大人用の開口径及び子供用の開口径とすることを特徴とする請求項１又は２記載の洗髪用具。
【請求項４】
筒体は、支持台により回転自在に支持されることを特徴とする請求項１乃至３記載の洗髪用具。
【請求項５】
筒体における使用者の顎部に対応する個所を切欠したことを特徴とする請求項１乃至４記載の洗髪用具。
【考案の詳細な説明】
【技術分野】
【０００１】  本考案は、理容室や美容室において洗髪される人の顔面が水に濡れることなく洗髪することができる洗髪用具に関するものである。
【背景技術】
【０００２】  洗髪時にシャンプーなどが目鼻に入らないようにする洗髪用具として、家庭で洗髪する際に子供などが頭にかぶるシャンプーハットと称される帽子の鍔だけからなる円盤状のものが存在している。これは、家庭において子供などが自分で洗髪する際に用いるもので、帽子の縁を庇として洗髪時の水を顔面から離れた位置から滴らせることで、シャンプーなどが目に入らないようにしている。
【特許文献１】実開平６−３６５０４号公報
【考案の開示】
【考案が解決しようとする課題】
【０００３】  しかしながら、上述した従来の洗髪用具は、子供などが自分で洗髪する際に用いるものであって、理容室や美容室で行なわれる洗髪のように、客が流し台でスタッフに洗髪してもらう場合には適さない構造であり、ここで使用されることはなかった。そのため、特に呼吸方法が未熟な子供にあっては、洗髪時の水が顔に流れた場合に苦しがり、さらに目に水や洗剤等が入ると痛がって洗髪を嫌がることとなっていた。また、仰向けに顔を上に向けて洗髪することで顔面を水で濡らさない方法も行なわれているものの、お年寄りなどで仰向けに背中を伸ばすことが困難であったり、顔面部位が病気治療中で僅かでも顔を濡らしたくなかったり、女性にあっては顔を上に向けたままにすることが無防備で不安を感じることもあったりして、顔を下に向けて洗髪することも依然として求められている。【０００４】  そこで本考案にあっては、上述した課題を解決すべく、理容室や美容室において洗髪される人の顔が水に濡れることがない洗髪用具の提供を目的とする。
【課題を解決するための手段】
【０００５】  上記目的を達成するため、本考案の洗髪用具は、筒体開口部の一方を使用者の顔面の周囲に密着して当接する形状からなり、該筒体開口部の一方を当接した使用者の顔面を下方に向けた状態で洗髪したときの水が使用者の顔面を濡らすことなく前記筒体の外側を伝わらせることを特徴とする。【０００６】  また、筒体が弾性を有する合成樹脂材から形成することを特徴とする。【０００７】  また、筒体の一方の開口部と他方の開口部の開口径を、使用者の顔面の大きさの大小に合致させるべく大人用の開口径及び子供用の開口径とすることを特徴とする。【０００８】  また、筒体は、支持台により回転自在に支持されることを特徴とする。【０００９】  また、筒体における使用者の顎部に対応する個所を切欠したことを特徴とする。
【考案の効果】
【００１０】  本考案の洗髪用具によれば、筒体開口部の一方を使用者の顔面の周囲に密着して当接する形状とすることで、筒体開口部の一方を当接した使用者の顔面を下方に向けた状態で洗髪したときに、シャンプーなどの水が筒体の外側を伝わり、使用者の顔面を濡らすことがない。【００１１】  また、筒体が弾性を有する合成樹脂材から形成することで、筒体開口部が使用者の顔面に対し隙間なく好適に密着して、シャンプーなどの水が顔面に伝わることを防ぐことができる。【００１２】  また、体の一方の開口部と他方の開口部の開口径を、使用者の顔面の大きさの大小に合致させるべく大人用の開口径及び子供用の開口径とすることで、１つの洗髪用具で、大人用と子供用を兼用させることができ、効率的である。【００１３】  また、筒体は、支持台により回転自在に支持されることで、洗髪用具を流し台に置いて使用する際に、使用者の顔面に対して好適に密着すべく自在に向きを変えることができる。【００１４】  また、筒体における使用者の顎部に対応する個所を切欠することで、使用者の様々な顔面形状に合うように筒体を変形させることができる。
【考案を実施するための最良の形態】
【００１５】  図１〜図５は、本考案の第１の実施例の洗髪用具１を示し、この洗髪用具１は、シリコンゴム等の柔軟性と耐久性を有する合成樹脂製の筒体２と、これを支持する支持台３とから構成されている。筒体２は、開口部の一方２ａを他方２ｂよりも開口径を大きくするもので、開口径の大きい一方２ａを大人用に用いるとともに、開口径の小さい他方２ｂを子供用に用いるものである。そして筒体２の開口部２ａ、２ｂは、使用者の目、鼻、口を内側に収めつつ頭髪の生え際の手前までの顔面の縁に密着して当接する形状としている（図５）。【００１６】  前記支持台３は、筒体２の対向する外周面に突設した回動軸４を回動自在に支持する軸受部５を備え、流し台に当接する脚部として合成樹脂製の吸盤６を４個（３個でも１個でもよく個数は限定されない）設けている。この吸盤６は、針金状のフレームに対して回動自在に係合し、洗髪用具１が載置される流し台の面が曲面の場合は吸盤機能を発揮させて密着固定するとともに、流し台の面が平らな場合には吸盤６を１８０度回転させて吸盤機能を発揮させないようにして用いることもできる（図３）。【００１７】  このような構成からなる洗髪用具１の使用方法としては、まず洗髪用具１を流し台にしっかりと載置し（図３）、洗髪される人の顔の大きさに合わせて、図４に示すごとく、洗髪用具１の筒体２の開口部のどちらかを選択すべく回動させ、大人の場合は開口部の一方２ａを上に向け（図５）、そこに洗髪される人７の顔をぴったりと隙間がないように押し当てる。後はそのままの状態で（図２）、洗髪すると、シャンプーや水は筒体２の外側を伝わって流れ、筒体２内側に位置する顔に水が伝わらずに濡れることがなく、目を開けた状態のままでいることができるものである。【００１８】  図６は、本考案の第２の実施例の洗髪用具２１を示すものであり、筒体２２における使用者の顎部に対応する個所に切欠部２３を設けたものである。この切欠部２３の幅径を加減することで、使用する人の顔の大きさに筒体２２の開口部が適合させることができるものである。【００１９】  尚、上述した実施例における筒体の材質、形状、支持台の形状、吸盤等については、本考案の目的を達成することができるものであればこれに限定されるものではないものである。
【図面の簡単な説明】
【００２０】
【図１】本考案の洗髪用具の第１の実施例の使用法を示す説明図である。
【図２】本考案の洗髪用具の第１の実施例の使用法を示す説明図である。
【図３】本考案の洗髪用具の第１の実施例の使用法を示す説明図である。
【図４】本考案の洗髪用具の第１の実施例の使用法を示す説明図である。
【図５】本考案の洗髪用具の第１の実施例の使用法を示す説明図である。
【図６】本考案の洗髪用具の第２の実施例の使用法を示す説明図である。
【符号の説明】
【００１６】  １  洗髪用具
２  筒体
２ａ  一方の開口部
２ｂ  他方の開口部
３  支持台
４  回動軸
５  軸受部
６  吸盤
７  洗髪される人
２１  洗髪用具
２２  筒体
２３  切欠部
【図１】
0003130377.tif 000003
【図２】
0003130377.tif 000004
【図３】
0003130377.tif 000005
【図４】
0003130377.tif 000006
【図５】
0003130377.tif 000007
【図６】
0003130377.tif 000008
【手続補正書】
【提出日】平成18年12月11日(2006.12.11)
【手続補正１】
【補正対象書類名】実用新案登録請求の範囲
【補正対象項目名】全文
【補正方法】変更
【補正の内容】
【実用新案登録請求の範囲】
【請求項１】
筒体開口部の一方を使用者の顔面の周囲に密着して当接する形状からなり、該筒体開口部の一方を当接した使用者の顔面を下方に向けた状態で洗髪したときの水が使用者の顔面を濡らすことなく前記筒体の外側を伝わらせることを特徴とする洗髪用具。
【請求項２】
筒体が弾性を有する合成樹脂材から形成することを特徴とする請求項１記載の洗髪用具。
【請求項３】
筒体の一方の開口部と他方の開口部の開口径を、使用者の顔面の大きさの大小に合致させるべく大人用の開口径及び子供用の開口径とすることを特徴とする請求項１又は２記載の洗髪用具。
【請求項４】
筒体は、支持台により回転自在に支持されることを特徴とする請求項１乃至３のいずれか１つに記載の洗髪用具。
【請求項５】
筒体における使用者の顎部に対応する個所を切欠したことを特徴とする請求項１乃至４のいずれか１つに記載の洗髪用具。